(57)【要約】      （修正有）【課題】改良する水泳用ゴーグルを提供する。【解決手段】改良する水泳用ゴーグルが、水泳用ゴーグルの本体１を含み、水泳用ゴーグルの本体１は二つの対称に設置される護目ボックス１０１を含み、護目ボックス１０１の中に護目レンズ１０２が設置され、護目ボックス１０１の後端に延長ボックスが設置され、延長ボックスの後端に防護マットが設置され、護目ボックス１０１の外側にコネクタが設置され、コネクタにバンドが連結され、護目ボックス１０１の後端に近眼レンズが設置され、この装置は護目レンズ１０２の中に近眼レンズを取り付けて、もし必要がないと近眼レンズを直接にはずすことができ、もし必要があると度数が合わないと自由にレンズの度数を交換し一番よい効果に達することができて、その同時にラウンドロックド溝が設置されラウンドコネクタと結合され、取り付けると取り外すことに便利である。この装置の構造は比較的に簡単で、コストが安く、普及させて使用することが適合する。【選択図】図１
0003214168.tif 000002
【実用新案登録請求の範囲】
【請求項１】
水泳用ゴーグルにおいて、
水泳用ゴーグルの本体を含み、前記の水泳用ゴーグルの本体は二つの対称に設置される護目ボックスを含み、前記の護目ボックスの中に護目レンズが設置され、前記の護目ボックスと前記の護目レンズが張り合わせ設置され、二つの前記の護目ボックスの間に鼻筋連結棒が設置され、前記の護目ボックスの前端の頂部に遮光装置が設置され、前記の護目ボックスの後端に延長ボックスが設置され、前記の延長ボックスの中の空間が徐々に増大して、前記の延長ボックスと前記の護目ボックスが張り合わせ設置され、前記の延長ボックスの後端に防護マットが設置され、前記の防護マットの中には中空に設置され、前記の護目ボックスの外側にコネクタが設置され、前記のコネクタと前記の護目ボックスは一体型構造で、前記のコネクタにバンドが連結され、前記のコネクタの中の中心に取付溝が設置され、前記の取付溝の中に固定棒が設置され、前記の固定棒が前記のコネクタの中に縦方向に設置され、前記のバンドが前記の固定棒を迂回し、前記のバンドと重複に設置され、前記の護目ボックスの後端に近眼レンズが設置され、前記の近眼レンズの外の表面にカードケースが設置され、前記のカードケースの材質はゴムで、前記の護目ボックスの後端の左右の両側に近い位置にストラットバーが設置され、前記のストラットバーの後端にブランドコネクタが設置され、前記のカードケースの前端にブランドコネクタを結合するラウンドロックド溝が設置される
ことを特徴とする水泳用ゴーグル。
【考案の詳細な説明】
【技術分野】
【０００１】
この実用的な新型は一種の改良する水泳用ゴーグルにかかわる。
【背景技術】
【０００２】
水泳用ゴーグルは水泳運動の中の一種の器材で、使用する時目としっかり結合し、水の下でものが見える同時に水が目に入ることを防ぐことができる。だから水泳用ゴーグルはたくさんの水泳愛好家の必需品になって、水泳運動に多くの楽しみをもたらした。よい水泳用ゴーグルはまた高性能のくもり止めの性能を持って、100%の紫外線を防ぐ性能と密封する性能があり、そして目を保護、傷害を予防する効果がある。しかし伝統的な水泳用ゴーグルは目を保護するだけで、あるいは近視機能を持つ眼鏡で、水の中で観察することが水の上で観察することと一定の差が存在する。もし近視がある人は自分の度数で選ぶなら、水の中ではっきり見えなくあるいは見えにくい現象を引き起こす。上記の問題に基づいて、一つの問題を解決できる水泳用ゴーグルを提供する必要がる。
【考案の概要】
【考案が解決しようとする課題】
【０００３】
この実用的な新型は解決する必要な技術問題が一種の改良する水泳用ゴーグルを提供する。この装置は護目レンズの中に近眼レンズを取り付けて、もし必要がないと近眼レンズを直接にはずすことができ、もし必要があると度数が合わないと自由にレンズの度数を交換し一番よい効果に達することができて、その同時にラウンドロックド溝が設置されラウンドコネクタと結合され、取り付けると取り外すことに便利である。
【課題を解決するための手段】
【０００４】
この実用的な新型は以下の技術方案を通じて実現した。
【０００５】
一種の改良する水泳用ゴーグルが、その特徴は水泳用ゴーグルの本体を含み、前記の水泳用ゴーグルの本体は二つの対称に設置される護目ボックスを含み、前記の護目ボックスの中に護目レンズが設置され、前記の護目ボックスと前記の護目レンズが張り合わせ設置され、二つの前記の護目ボックスの間に鼻筋連結棒が設置され、前記の護目ボックスの前端の頂部に遮光装置が設置され、前記の護目ボックスの後端に延長ボックスが設置され、前記の延長ボックスの中の空間が徐々に増大して、前記の延長ボックスと前記の護目ボックスが張り合わせ設置され、前記の延長ボックスの後端に防護マットが設置され、前記の防護マットの中には中空に設置され、前記の護目ボックスの外側にコネクタが設置され、前記のコネクタと前記の護目ボックスは一体型構造で、前記のコネクタにバンドが連結され、前記のコネクタの中の中心に取付溝が設置され、前記の取付溝の中に固定棒が設置され、前記の固定棒が前記のコネクタの中に縦方向に設置され、前記のバンドが前記の固定棒を迂回し、前記のバンドと重複に設置され、前記の護目ボックスの後端に近眼レンズが設置され、前記の近眼レンズの外の表面にカードケースが設置され、前記のカードケースの材質はゴムで、前記の護目ボックスの後端の左右の両側に近い位置にストラットバーが設置され、前記のストラットバーの後端にブランドコネクタが設置され、前記のカードケースの前端にブランドコネクタを結合するラウンドロックド溝が設置される。
【０００６】
好適な実施例は前記の鼻筋連結棒は円弧形で、前記の鼻筋連結棒の材質はゴムである。ゴムの鼻筋連結棒を通じて、一方は長く着用するでも不快感がなく、もう一方は収容する時折り畳むことができる。
【０００７】
好適な実施例は前記のコネクタが外へ傾斜し、前記のコネクタの傾斜角は15°である。コネクタを一定の傾斜角を設置し、顔の需要に適応することができる。
【０００８】
好適な実施例は前記のバンドの端部の位置に二つ以上のカードブロックが設置され、前記のカードブロックと前記のバンドが一体型構造で、前記のバンドの端部は前記のバンドと重複する位置に固定環が設置される。固定環を設置することを通じて、バンドの端部を固定することができ、その同時にカードブロックが固定に役を立つ。
【０００９】
好適な実施例は前記の遮光装置が遮光レンズを含む。前記の遮光レンズは回転軸を通じて上下に反転することができ、前記の護目ボックスの前端の頂部に設置される。前記の遮光レンズを通じて強い光の下で目を防護ことができて、光が強すぎて目にダメージを与えることを防止する。
【考案の効果】
【００１０】
この実用的な新型の有益の効果はこの装置は護目レンズの中に近眼レンズを取り付けて、もし必要がないと近眼レンズを直接にはずすことができ、もし必要があると度数が合わないと自由にレンズの度数を交換し一番よい効果に達することができて、その同時にラウンドロックド溝が設置されラウンドコネクタと結合され、取り付けると取り外すことに便利である。
【図面の簡単な説明】
【００１１】
【図１】この実用的な新型の正面図である。
【図２】この実用的な新型の俯瞰図である。
【図３】この実用的な新型の局部断面図である。
【図４】Aの拡大図である。
【考案を実施するための形態】
【００１２】
この説明書に公開されたすべての特徴、または公開されたすべての方法あるいは過程の中のステップは、互いに排斥する特徴/あるいはステップの以外はどんな方式でも組み合わることができる。
【００１３】
この説明書（いかなる付加権力の要求、要約と付図を含む）の中に公開されたいずれかの特徴は特別な叙述が別として、他の等価または類似目的を持つ代替特徴で置換することができる。つまり、特別な叙述が別として、すべての特徴はただ1シリーズの等価あるいは類似特徴の中の1つの例である。
【００１４】
図１、図２、図３と図４のような一種の改良する水泳用ゴーグルが、水泳用ゴーグルの本体１を含み、前記の水泳用ゴーグルの本体１は二つの対称に設置される護目ボックス１０１を含み、前記の護目ボックス１０１の中に護目レンズ１０２が設置され、前記の護目ボックス１０１と前記の護目レンズ１０２が張り合わせ設置され、二つの前記の護目ボックス１０２の間に鼻筋連結棒１０３が設置され、前記の護目ボックス１０１の前端の頂部に遮光装置が設置され、前記の護目ボックス１０１の後端に延長ボックス１０４が設置され、前記の延長ボックス１０４の中の空間が徐々に増大して、前記の延長ボックス１０４と前記の護目ボックス１０２が張り合わせ設置され、前記の延長ボックス１０４の後端に防護マット１０５が設置され、前記の防護マット１０５の中には中空に設置され、前記の護目ボックス１０２の外側にコネクタ１０６が設置され、前記のコネクタ１０６と前記の護目ボックス１０２は一体型構造で、前記のコネクタ１０６にバンド２が連結され、前記のコネクタ１０６の中の中心に取付溝１０７が設置され、前記の取付溝１０７の中に固定棒１０８が設置され、前記の固定棒１０８が前記のコネクタ１０６の中に縦方向に設置され、前記のバンド２が前記の固定棒１０８を迂回し、前記のバンド２と重複に設置され、前記の護目ボックス１０２の後端に近眼レンズ３が設置され、前記の近眼レンズ３の外の表面にカードケース３０１が設置され、前記のカードケース３０１の材質はゴムで、前記の護目ボックス１０２の後端の左右の両側に近い位置にストラットバー３０２が設置され、前記のストラットバー３０２の後端にブランドコネクタ３０３が設置され、前記のカードケース３０１の前端にブランドコネクタ３０３を結合するラウンドロックド溝３０４が設置される。
【００１５】
本実用的な新型の中の比較的に好適な実施例は前記の鼻筋連結棒１０３は円弧形で、前記の鼻筋連結棒１０３の材質はゴムである。ゴムの鼻筋連結棒を通じて、一方は長く着用するでも不快感がなく、もう一方は収容する時折り畳むことができる。
【００１６】
本実用的な新型の中の比較的に好適な実施例は前記のコネクタ１０６が外へ傾斜し、前記のコネクタ１０６の傾斜角は15°である。コネクタを一定の傾斜角を設置し、顔の需要に適応することができる。
【００１７】
本実用的な新型の中の比較的に好適な実施例は前記のバンド２の端部の位置に二つ以上のカードブロック２０１が設置され、前記のカードブロック２０１と前記のバンド２が一体型構造で、前記のバンド２の端部は前記のバンド２と重複する位置に固定環２０２が設置される。固定環を設置することを通じて、バンドの端部を固定することができ、その同時にカードブロックが固定に役を立つ。
【００１８】
本実用的な新型の中の比較的に好適な実施例は前記の遮光装置が遮光レンズ４００を含む。前記の遮光レンズ４００は回転軸４０１を通じて上下に反転することができ、前記の護目ボックス１０１の前端の頂部に設置される。前記の遮光レンズ４００を通じて強い光の下で目を防護ことができて、光が強すぎて目にダメージを与えることを防止する。
【００１９】
この実用的な新型の有益の効果はこの装置は護目レンズの中に近眼レンズを取り付けて、もし必要がないと近眼レンズを直接にはずすことができ、もし必要があると度数が合わないと自由にレンズの度数を交換し一番よい効果に達することができて、その同時にラウンドロックド溝が設置されラウンドコネクタと結合され、取り付けると取り外すことに便利である。
【００２０】
以上に述べたのはただ本実用的な新型の具体的な実施方法で、しかし本実用的な新型の保護範囲はこれに限らず、あらゆる創造的な労働を経なく思いつく変化と置換は本実用的な新型の保護範囲の中に含む。だから、本実用的な新型の保護範囲は特許請求に限定される保護範囲を標準とする。
【図１】
0003214168.tif 000003
【図２】
0003214168.tif 000004
【図３】
0003214168.tif 000005
【図４】
0003214168.tif 000006